(57)【要約】薬剤・健康増進剤投与装置（１）であって、フレキシブル部材（３）と、フレキシブル部材（３）を布に貼り付けてポケット部を形成する貼付手段（５）と、薬剤あるいは健康増進剤を染み込ませる吸収パッド（７）とを含んでおり、フレキシブル部材（３）が衣類の一部に貼付されるとポケット部が形成され、パッドがポケット部内に確実に受領保持され、パッドはポケット部から取外し可能であることを特徴とする。布は衣服の一部や寝具である。
2005528955.tif 000002
【特許請求の範囲】
【請求項１】
フレキシブル部材と、該フレキシブル部材を布に貼付けてポケット部を形成する貼付手段と、薬剤または健康増進剤を染み込ませる吸収パッドとを含んでおり、前記フレキシブル部材が布の一部に貼付されると前記ポケット部が形成され、前記吸収パッドが該ポケット部内に確実に受領保持され、該吸収パッドは該ポケット部から取外し可能であることを特徴とする薬剤・健康増進剤投与装置。
【請求項２】
フレキシブル部材は片面にアイロン接着剤を含んでおり、使用者によって布上に配置された該フレキシブル部材は、アイロンによって固定されることを特徴とする請求項１記載の薬剤・健康増進剤投与装置
【請求項３】
フレキシブル部材はポケット部を含んでいることを特徴とする請求項１又は２記載の薬剤・健康増進剤投与装置。
【請求項４】
フレキシブル部材は布の最適位置に取付けてポケット部を形成するシート体を含んでいることを特徴とする請求項１又は２記載の薬剤・健康増進剤投与装置。
【請求項５】
ポケット部は閉口手段を含んでいることを特徴とする請求項３又は４記載の薬剤・健康増進剤投与装置。
【請求項６】
パッドは薬剤あるいは健康増進剤を染み込ませた状態で提供されることを特徴とする請求項１から５のいずれかに記載の薬剤・健康増進剤投与装置。
【請求項７】
パッドは、ポケット部へ挿入する直前に染み込ませる薬剤あるいは健康増進剤から分離した状態で提供されることを特徴とする請求項１から６のいずれかに記載の薬剤・健康増進剤投与装置。
【請求項８】
薬剤は気化性鼻詰まり解消薬あるいはエッセンシャルオイルであることを特徴とする請求項１から７のいずれかに記載の薬剤投与装置。
【請求項９】
薬剤は筋肉緩和剤であることを特徴とする請求項１から７のいずれかに記載の薬剤投与装置。
【請求項１０】
健康増進剤は除虫剤を含んでいることを特徴とする請求項１から７のいずれかに記載の薬剤・健康増進剤投与装置。
【請求項１１】
健康増進剤は香水あるいは香料を含んでいることを特徴とする請求項１から７のいずれかに記載の薬剤・健康増進剤投与装置。
【請求項１２】
フレキシブル部材は装飾されているか広告が掲載されていることを特徴とする請求項１から１０のいずれかに記載の薬剤・健康増進剤投与装置。
【請求項１３】
フレキシブル部材はモスリン製、ネット製又はメッシュ製であることを特徴とする請求項１から１１のいずれかに記載の薬剤・健康増進剤投与装置。
【請求項１４】
フレキシブル部材を布に貼り付ける貼付手段は縫合あるいは接着剤のいずれかを含んでいることを特徴とする請求項１から１３のいずれかに記載の薬剤・健康増進剤投与装置。
【請求項１５】
ポケット部を含んだ布であって、該ポケット部は薬剤あるいは健康増進剤を染み込ませた吸収パッドを受領するように提供されており、前記ポケット部は該吸収パッドが確実に受領保持されるように提供され、該吸収パッドは前記ポケット部から取り外し可能であることを特徴とするポケット部を含んだ布。
【請求項１６】
ポケット部は閉口手段を含んでいることを特徴とする請求項１５記載の布。
【請求項１７】
薬剤あるいは健康増進剤は、気化性鼻詰まり解消剤、エッセンシャルオイル、筋肉緩和剤、除虫剤、香水、香料のいずれかであることを特徴とする請求項１５又は１６記載の布。
【請求項１８】
ポケット部を含んだ衣服であって、該ポケット部は薬剤あるいは健康増進剤を染み込ませた吸収パッドを受領するように提供され、前記ポケット部は前記吸収パッドが該ポケット部内に確実に受領保持されるように提供され、該パッドは該ポケット部から取り外し可能であることを特徴とする衣服。
【請求項１９】
ポケット部は閉口手段を含んでいることを特徴とする請求項１８記載の衣服。
【請求項２０】
薬剤あるいは健康増進剤は、気化性鼻詰まり解消剤、エッセンシャルオイル、筋肉緩和剤、除虫剤、香水、香料のいずれかであることを特徴とする請求項１８又は１９記載の衣服。
【請求項２１】
薬剤あるいは健康増進剤を染み込ませた吸収パッドと、フレキシブル部材と、該フレキシブル部材を布に貼り付けてポケット部を形成するための貼付手段とを含んだキットであって、前記フレキシブル部材が布の一部に貼付されると前記ポケット部が形成され、前記吸収パッドが前記ポケット部内に確実に受領保持され、該吸収パッドは該ポケット部から取り外し可能であることを特徴とするキット。
【請求項２２】
薬剤あるいは健康増進剤は、気化性鼻詰まり解消剤、エッセンシャルオイル、筋肉緩和剤、除虫剤、香水、香料のいずれかであることを特徴とする請求項２１記載のキット。
【発明の詳細な説明】
【技術分野】
【０００１】
本発明は薬剤または健康増進剤投与装置に関する。この投与装置は布、典型的には衣料品や寝具類等に貼付できる。本発明は吸引性薬剤の投与に適しているスポーツ衣類などの衣類に特に効果的に利用することができ、特に子供服に対して効果的である。
【背景技術】
【０００２】
気化性鼻詰まり解消薬を染み込ませたオイルやクリームは色々ある。このようなクリームやオイルは皮膚用であり、皮膚熱が鼻詰まり解消薬を温めることで鼻詰まり解消薬がゆっくりと気化して鼻詰まり解消薬を放出し、これが吸引されて鼻詰まりを解消させる。
【発明の開示】
【発明が解決しようとする課題】
【０００３】
このようなオイルやクリームは時に皮膚、特に子供の敏感な皮膚を刺激することがある。親はクリームを子供の衣類に摺り込んだり、ハンカチに鼻詰まり解消オイルを染み込ませたりする。鼻詰まり解消剤の量は調節されず、シミが付着して衣類を台無しにすることもある。鼻詰まり解消薬は皮膚と接触することがあり、刺激を生じさせる。
【０００４】
プロのスポーツマンでさえ、遅気化性鼻詰まり解消剤をシャツに摺り込むことがある。スポーツ活動に熱中している間、特に寒い冬季には、鼻詰まり解消剤が頭や鼻腔路を快適に保つ手助けをするからである。
【０００５】
その他、様々な鼻詰まり解消剤投与具や装置が開発され実用化されている。ある製品は揮発性鼻詰まり解消剤を染み込ませた皮膚貼付用の接着性絆創膏を含んでいる。この製品は、敏感な皮膚やアレルギー体質の人、特に乳児に問題を引き起こすことがある。
【０００６】
その他の製品としては、衣服に貼付けて使用するための接着パッチを含んだものがある。このようなパッチははがれやすく、どのような衣服に使用しても寿命が短く、少なくとも一度洗濯すれば使用できなくなる。
【課題を解決するための手段】
【０００７】
本明細書においては、対象薬剤とは鼻詰まり解消剤に限らず治療効果や緩和効果を有するあらゆる薬剤が想定されている。健康増進剤とは健康や健康感、快適感を高めるものであり、香水やエッセンシャルオイル、防虫剤及び筋肉緩和剤なども含む。
【０００８】
本発明によって、フレキシブル部材と、そのフレキシブル部材を布に貼付けてポケット部を形成する貼付手段と、薬剤または健康増進剤を染み込ませる吸収パッドとを含んでおり、フレキシブル部材が布の一部に貼付されるとポケット部が形成され、吸収パッドがポケット部内に確実に受領保持され、吸収パッドはポケット部から取外し可能であることを特徴とする薬剤・健康増進剤投与装置が提供される。
【０００９】
薬剤・健康増進剤が使用者に投与されるように、布は使用者の至近距離に提供される衣類の一部や寝具等が望ましい。
【００１０】
典型的には、衣類はシャツやスポーツ上衣またはパジャマ上衣であり、乳児あるいは小児の場合は上下つなぎ衣類である。衣類の代わりに手袋であっても良い。この場合、投与装置は手袋の掌に貼付される。
【００１１】
布が寝具を含む場合、典型的には投与装置は枕に貼り付けして使用される。これは特に薬剤が揮発性を有する吸引性薬剤または鼻詰まり解消剤の場合に有効である。
【００１２】
フレキシブル部材は、布に貼り付けられた時にポケット部を形成する単層であってもよい。あるいはフレキシブル部材は袋体を含むもので、この袋体にパッドが挿入され、容易に取り外すことができるものでもよい。好適には、フレキシブル部材は軽量で浸透性のある材質で作られており、体熱がポケットの外側から吸収パッドを通って内部を温め、蒸気をパッドから放出させ、またはパッドに染み込んだ薬剤に布を通過させるようになっている。あるいは、例えば薬剤自体は通さないが吸引蒸気は通す材質にすることもできる。
【００１３】
好適には、フレキシブル部材はパッドを確実に保持でき、かつパッドが皮膚に接触できるネット材質やメッシュ材質である。鼻詰まり解消剤の使用によって使用者の皮膚が刺激される場合には軽量の綿材質がよい。フレキシブル部材は織布あるいは不織布でよい。綿モスリンが好ましい。適切な材質の選択は薬剤あるいは健康増進剤の種類によって選択され、その選択は当業者には明らかであろう。
【００１４】
フレキシブル部材を布に貼付けるための貼付手段は素早く簡単にポケット部を最適位置に固定させることができ、反復利用できる接着剤を含むものが好ましい。好適にはこの貼付手段は、加熱式接着剤を染み込ませた不織布を含み、好適にはＷＵＮＤＡＷＥＢとして販売されている製品のようなアイロンを利用する接着剤である。
【００１５】
フレキシブル部材を形成するものが単層体である時は、貼付手段はフレキシブル部材の周辺に１つの開口部を設けて提供され、パッドをポケット部に挿入させる。布に取付ける袋体の場合は、貼付手段はポケット部を形成せずとも構わず、単に袋体を最適位置に貼り付けるだけでよい。フレキシブル部材は、袋体の片面で、あるいは単に袋体の周辺端に沿って取付けられてもよい。ＷＵＮＤＡＷＥＢのようなアイロン式接着材が使用されている時には、使用者が任意に衣服に配置し、アイロンで接着剤を糊化させて貼り付ける。このように取付けられたポケット部は少なくとも５回の洗濯に耐えることができ、必要に応じて取り替えることができる。
【００１６】
フレキシブル部材によって形成されるポケット部と、ポケット部が貼り付けられる布は、上方が開口しているものでよい。布が衣服の一部である場合にはパッドの大きさが取付けられたポケット部より僅かに小さいとき、衣服を着ればパッドは固定される。しかしながら、上方が開口したポケット部内で吸収パッドを保持することは、ポケット部が枕カバーに取付けられている場合には困難であろう。
【００１７】
ポケット部は、衣類を着た時にパッドが抜け落ちるのを防止する閉口部を含むことができる。特に激しいスポーツ時に有効である。フレキシブル部材自体が袋体であるときに特に好ましい。好適には、このような閉口部はポケット部の入口にパッド係合フラップ部を含むことができる。フラップ部はポケット端部を形成するようにポケットの上に折り畳まれ、吸収パッドの外端部を覆い、吸収パッドを固定する。これは枕カバーの仕組みと同様である。
【００１８】
好適には、吸収パッドは投与装置が取付けられる布の重量に対して重すぎない形状、大きさであり、邪魔にならないものである。便利には、パッドは四角形あるいは長方形の枕形で、辺が２センチから１６センチであり、厚さが１／４センチから１センチ程度のものである。
【００１９】
パッドはフォーム製あるいは綿製でよい。あるいは薬剤・健康増進剤を染み込ませた不織布シートでよい。（使用状況によっては、パッド状に折り畳むかポケット部にシートとして挿入してもよい。）  ポケット部は、衣服の内部や、外から見える外部に貼り付けられるため邪魔にならない。フレキシブル部材の色やデザインは用途によって様々に選択することができる。例えば、スポーツシャツ用のポケット部はシャツの前方に取付けることができる。この場合は、フレキシブル部材に広告を印刷してもよい。あるいは、取付けられる布の色に合うものとしてもよい。
【００２０】
好適には、投与装置は、布への貼付手段を有するフレキシブル部材か、フレキシブル部材の一部分と、数個の吸収パッドとのキットとして販売される。典型的には、５個の薬剤または健康増進剤が染み込んだパッドが提供されたキットであることが望ましい。好適には、パッドは個別包装で供給される。染み込ませ済みパッドの利点は、適正な投与量と濃度にすることができることである。
【００２１】
染み込ませされていないパッドを、ポケット部へ挿入する前に染み込ませる薬剤と一緒に販売することもできる。使用者に応じて薬の強さや量を変えたいとき、例えば年齢の異なる子供の場合等に便利である。
【００２２】
薬剤は治療性または症状緩和性を有するどのような薬剤でも構わず、効果を高めるために使用者の至近距離に提供される。典型的には揮発性薬剤あるいは経皮性薬剤である。
【００２３】
１好適実施例では、薬剤は気化性鼻詰まり解消剤のような揮発性吸引薬である。この場合、気化性鼻詰まり解消剤が容易に使用者に吸引されるように、ポケットを適当な位置に設置する。
【００２４】
この装置の利点は、使用者に対して適切な量の薬剤が提供できるように適切な濃度の鼻詰まり解消剤をパッドに染み込ませることができる点である。衣類の洗濯の際や、所定期間の経過後はパッドをホルダーから簡単に取り外して交換することができる。
【００２５】
適切な気化性鼻詰まり解消剤の選択や、消炎剤を染み込ませるパッドに適した材質の選択は当業者にとり自明であろう。典型的には、パッドに適する材質は使用される鼻詰まり解消剤によって決定される。
【００２６】
適切な経皮性投与薬とは鎮痛剤や抗ヒスタミンクリーム等である。
【００２７】
典型的な健康増進剤とは、クリーム、軟膏及び傷用ローション、消毒剤、虫さされ用クリーム、虫除け剤等であり、これらの全ては特に子供や普通の薬でアレルギーを起こす人への使用が難しいものである。さらに、使用者の快適感を高める香水やエッセンシャルオイル等も利用できる。パッドにはまた、空気に触れると熱や冷気を発する物質を染み込ませることもでき、物質内に発生した熱や冷気は、物質が使用者の肌に直接触れることなく鎮痛効果を提供する。
【００２８】
薬剤や健康増進剤が局部的な効果を有するときは、使用の際にポケット部は治療が必要な部分に接触するように配置される。
【００２９】
本発明は、サッカーシャツ等のスポーツ衣類に特に効果を発揮するが、子供用の寝間着や乳児服にも有効である。乳児や小児の鼻腔通をいかに快適にするかは常に問題であり、夜間の鼻腔内粘液の蓄積を防ぐ方法が求められている。
【００３０】
１実施例では、ポケット部はアイロン貼付面を有する袋体であり、使用者が望むように衣服に配置し、アイロンによってアイロン貼付面の接着剤を熱活性させて固定される。
【００３１】
ポケット部は四角形や長方形が実用的であるが、薬剤や使用目的によっては様々な形状にすることができる。
【発明を実施するための最良の形態】
【００３２】
本発明に係る投与装置や投与装置を有する衣服の実施例について、本発明の説明のみを目的として、以下で添付の図面を参照にして説明する。
【００３３】
第１実施例の薬剤または健康増進剤投与装置は、フレキシブル部材３と、ポケット部を形成するためにフレキシブル手段を布に貼り付けるための貼付手段５と、薬剤・健康増進剤を染み込ませるための吸収パッド７とを含んでいる。それらはフレキシブル部材３が布の一部に取付けられてポケット部が提供され、パッド７がポケット部内に受領及び保持されて、かつ取外し自由であるようにアレンジされている。
【００３４】
本実施例では、フレキシブル部材３は軽量綿モスリン製の袋体である。袋体３は開口端部９と閉フラップ部１１とを有する実質的長方形状である。閉フラップ部１１は、枕カバーが枕を保持するようにパッド７の外端と係合する。
【００３５】
袋体は一枚の布を２つの平行縫い目１３に沿って縫合することで形成されている。平行縫い目は袋体の面を互いに合わせて、閉口部を形成するように閉フラップ部１１の端部を係合し、ＷＵＮＤＡＷＥＢ５の小片をそれぞれの端部に取付ける。小片５は熱活性接着剤を染み込ませた不織材である。
【００３６】
使用の際、使用者は薬剤の効果を与えたい場所を決定する。場所はパッドに染み込ませる薬剤によって異なる。揮発性鼻詰まり解消剤の場合、ポケット部は蒸気が吸引されるように衣服の上部かあるいは枕カバーに取付けられる。パッドを取付ける位置が決定されると、フレキシブル部材は布の所望の位置に配置されてアイロンがかけられる。小片５内の接着剤が熱活性化され、パッド７を受領するようにポケット部が貼り付けられる。
【００３７】
図２はフレキシブル部材の別の実施例である。フレキシブル部材１５は２枚の正方形材の３縁部が縫い合わされたパウチ袋体で構成されている。袋体１７の一面は熱活性接着剤を染み込ませた不織材であり、他方の面１９は目が細かい綿モスリンである。本例ではポケット部全面が袋体をアイロン付けする布に貼り付けられる。
【００３８】
図３はフレキシブル部材のさらに別の実施例である。これは綿モスリンのシート２１を含んでおり、周囲の３辺に沿ってＷＵＮＤＡＷＥＢ２３の小片が提供されている。フレキシブル部材２１は布に取付けられてポケット部を形成する。
【００３９】
図４は気化性鼻詰まり解消剤を染み込ませたパッド２９を受領保持するポケット部２７を含んだ衣類２５が図示されており、衣服の着用者が気化鼻詰まり解消剤を確実に吸引できる位置にパッド２９が配置されるようにポケット部が取付けられている。
【００４０】
本例では、衣服はスポーツシャツであり、ポケット部２７は首ラインの直下の前面中心部に配置されており、衣服の着用者が気化鼻詰まり解消剤を確実に吸引できるようになっている。
【００４１】
本例では、ポケット部はネット材袋体で形成されており、熱活性接着剤（図示せず）でスポーツシャツにアイロン付けされている。ポケット部２７はネット素材から成る上部開口型ポケット部２７である。ポケット部の大きさは１２．５cm×１５．５ｃｍであり、パッドの大きさは７．５ｃｍ×１０ｃｍである。
【００４２】
購入者に供給されるキットは袋体２７であり、このポケット部の端部には接着片が既に取付けられており、包装された５つの染み込ませ済みパッド２９がセットで提供される。ポケット部２７は少なくとも５回の洗濯に耐えることができ、パッド２９は必要に応じて取り替えることができる。
【００４３】
図５は投与装置を取付けることができる別の衣料品３１を図示している。本例では、フレキシブル部材３３は、反復利用性接着剤である周辺弧部３５を有する実質的円形状のシートを上部に含んでいる。これはフレキシブル部材３３を指無し手袋３１の掌に固定するために使用され、上方開口部３７を有するポケット部を形成している。ポケット部にはディスク形状のパッド３９が挿入され、典型的にはパッドには鼻詰まり解消剤が染み込ませてある。手袋は手に密着するため、パッド３９はポケット部内に確実に保持される。手袋は、例えばスポーツシャツほど頻繁に洗濯されないので、反復利用性接着剤３５の利用が適切である。手袋は反対面に汗用バンド４１を含むことができる。
【図面の簡単な説明】
【００４４】
【図１】図１は第１投与装置の斜視図である。
【図２】図２は投与装置で使用されるフレキシブル部材の第２実施例の概略図である。
【図３】図３は投与装置で使用されるフレキシブル部材の第３実施例の概略図である。
【図４】図４はスポーツ衣類に取付けられた第４投与装置の概略図である。
【図５】図５は指無し手袋に取付けられた第５投与装置の概略図である。
【図１】
2005528955.tif 000003
【図２】
2005528955.tif 000004
【図３】
2005528955.tif 000005
【図４】
2005528955.tif 000006
【図５】
2005528955.tif 000007
【国際調査報告】
2005528955.tif 000008
2005528955.tif 000009
2005528955.tif 000010